(57)【特許請求の範囲】
【請求項１】
ベッドフレームの長手方向の一端と他端との少なくとも一方に設けられたベッド用ボード体において、
上記ボード体は、
ボード板と、
このボード板の幅方向両端に上端部を上記ボード板の上端から所定寸法突出させて設けられた支柱部材と、
一対の支柱部材の上記ボード板の上端から突出した上端部間に架設された横杆と、
一端に上記横杆に係合するフックが形成され他端に上記ボード板の板面に当接する当接部が形成されているとともに、中途部に支持部が形成されこの支持部に係止部材が設けられたブラケットと、
下面に上記係止部材に係合する係合凹部が形成されこの係合凹部を上記係止部材に係合させて上記ブラケットの支持部に着脱可能に載置される載置板を具備し、
上記ブラケットの一端に形成された上記フックを上記横杆に係合させた状態において、上記支持部の端部上面と上記横杆の下端とには隙間が形成され、上記載置板は上記隙間に一端部を挿入して上記支持部に載置されるようになっていて、
上記載置板に形成された係合凹部には、載置板を上記支持部に載置するときに、上記係止部材と当接して上記載置板の一端部を上記隙間に入り込む方向にスライドさせる傾斜面が形成されていることを特徴とするベッド用ボード体。
【発明の詳細な説明】
【０００１】
【発明の属する技術分野】
この発明はベッドフレームの長手方向の少なくとも一端に設けられるベッド用ボード体に関する。
【０００２】
【従来の技術】
たとえば、病院用のベッドにおいては、患者が使用する小物類などの物品を容易に載置することのできる載置場所が必要なことが多い。
【０００３】
従来、物品の載置場所を確保するためには、ベッドの側方にテーブルを設置し、そのテーブルを物品の載置場所として利用することが行なわれていた。
【０００４】
【発明が解決しようとする課題】
しかしながら、ベッドが設置されている部屋の大きさや設置場所などによってはテーブルを設置するための空間を十分に確保できないということがあったり、上記テーブルが歩行や診察の際に邪魔になるなどのことがあった。
【０００５】
この発明は、物品の載置場所を容易に確保することができるようにしたベッド用ボード体を提供することにある。
【０００６】
【課題を解決するための手段】
請求項１の発明は、ベッドフレームの長手方向の一端と他端との少なくとも一方に設けられたベッド用ボード体において、
上記ボード体は、
ボード板と、
このボード板の幅方向両端に上端部を上記ボード板の上端から所定寸法突出させて設けられた支柱部材と、
一対の支柱部材の上記ボード板の上端から突出した上端部間に架設された横杆と、
一端に上記横杆に係合するフックが形成され他端に上記ボード板の板面に当接する当接部が形成されているとともに、中途部に支持部が形成されこの支持部に係止部材が設けられたブラケットと、
下面に上記係止部材に係合する係合凹部が形成されこの係合凹部を上記係止部材に係合させて上記ブラケットの支持部に着脱可能に載置される載置板を具備し、
上記ブラケットの一端に形成された上記フックを上記横杆に係合させた状態において、上記支持部の端部上面と上記横杆の下端とには隙間が形成され、上記載置板は上記隙間に一端部を挿入して上記支持部に載置されるようになっていて、
上記載置板に形成された係合凹部には、載置板を上記支持部に載置するときに、上記係止部材と当接して上記載置板の一端部を上記隙間に入り込む方向にスライドさせる傾斜面が形成されていることを特徴とするベッド用ボード体にある。
【０００９】
この発明によれば、ボード体の横杆にブラケットを取着し、このブラケットに載置板を着脱可能に設けることができるから、この載置板の上面を小物類の載置場所として利用することができる。
【００１０】
【発明の実施の形態】
以下、図面を参照しながら発明の実施の形態を説明する。
【００１１】
図１はこの発明の一実施の形態に係るベッド１を示し、このベッド１はベースフレーム２を備えている。このベースフレーム２の四隅部には脚部材３が設けられ、この脚部材３によってベースフレーム２は所定の高さに保持されている。
【００１２】
上記ベースフレーム２上にはベッドフレーム４が設けられている。このベッドフレーム４は上下駆動機構５によって上下駆動されるようになっている。この上下駆動機構５は駆動源６及びこの駆動源６によって回動駆動される複数のリンク７を有する。各リンク７は、一端が上記ベースフレーム２に枢着され、他端が上記ベッドフレーム４に枢着されている。
【００１３】
したがって、上記駆動源６により上記リンク７が駆動されると、上記ベッドフレーム４が上記ベースフレーム２上で上下動する。
【００１４】
上記ベッドフレーム４の上面には床板１１が載置されている。この床板１１は、背床部１１ａ、第１の腰床部１１ｂ、第２の腰床部１１ｃ、固定床部１１ｄ、第１の脚床部１１ｅ及び第２の脚床部１１ｆに分割されている。隣り合う各床部は、互いに回動可能に連結され、上記固定床部１１ｄは上記ベッドフレーム４に固定されている。
【００１５】
上記ベッドフレーム４の下面側には背上げ機構１２が設けられている。この背上げ機構１２は駆動源１３を有し、この駆動源１３によって背上げ機構１２を作動させることで、図示せぬアームが起立方向に駆動される。それによって、上記床板１１の背床部１１ａ，第１、第２の腰床部１１ｂ，１１ｃ及び第１、第２の脚床部１１ｅ，１１ｆが起立方向に駆動されるようになっている。
【００１６】
上記ベッドフレーム４の長手方向一端と他端にはそれぞれ取付け部１４が設けられている。一方の取付け部１４にはヘッドボード体１５が着脱可能に設けられ、他方の取付け部１４にはフットボード体１６が同じく着脱可能に設けられている。
【００１７】
上記ヘッドボード体１５は図２（ａ），（ｂ）に示すように矩形状のボード板１７を有する。このボード板１７の幅方向両端にはそれぞれ支柱部材１８が設けられている。支柱部材１８の長さ寸法は、ボード板１７の高さ寸法よりも長く形成されていて、下端部は上記取付け部１４に形成された取付け孔（図示せず）に挿入される挿入部１９に形成されている。
【００１８】
上記支柱部材１８の上端部は、上記ボード板１７の上端よりも上方に突出し、その上端部間には横杆２１が架設されている。この横杆２１の両端部には、合成樹脂をコーティングした帯状の金属部材からなるブラケット２２が着脱可能に設けられる。
【００１９】
上記ブラケット２２は、図３（ａ），（ｂ）及び図４に示すように、一端に上記横杆２１に係合する円弧状のフック２３が形成されている。このフック２３には直線部２３ａが連続形成され、この直線部２３ａには、直線部２３ａに対してほぼ直角に折曲された支持部２４及びこの支持部２４に対して約３０度の角度をなした傾斜部２５が順次連続して形成されている。
【００２０】
さらに、上記傾斜部２５には上記支持部２４に対してほぼ直交する角度となるよう当接部２６が連続して形成されている。上記支持部２４には、傾斜部２５に連続する一端部の上面に軸状の係止部材２７が突設され、この係止部材２７よりもフック２３側には通孔２８が形成されている。
【００２１】
上記ブラケット２２は、図３（ａ），（ｂ）に示すように上記フック２３を上記横杆２１に着脱自在に係合させて保持される。ブラケット２２は、その支持部２４がヘッドボード体１５の背面側に突出するようフック２３を横杆２１に係合させている。それによって、当接部２６はボード板１７の背面に接合する。
【００２２】
上記横杆２１の長手方向両端部に設けられた一対のブラケット２２には載置板３１が設けられる。図２（ａ），（ｂ）に示すように、載置板３１は上記ヘッドボード体５とほぼ同じ幅（長さ）寸法を有し、前後方向後端部の幅方向両端部には切り欠き部３２ａが形成され、上面の前端部には係止桟３２ｂが幅方向全長にわたって設けられている。
【００２３】
さらに、載置板３１の下面の幅方向両端部には、図３（ａ），（ｂ）にいＳ召すように、係合凹部３３（１つのみ図示）が形成されている。この係合凹部３３は、載置板３１の前後方向に沿って傾斜した傾斜面３４を有する。
【００２４】
上記フック２３に連続して直線部２３ａが形成されていることで、図３（ａ）に示すように横杆２１の下端とブラケット２２の支持部２４の上面との間には隙間３５が形成される。この隙間３５の高さ寸法は上記載置板３１の板厚よりもわずかに小さく設定されている。
【００２５】
上記載置板３１は前後方向の後端部を上記隙間３５に挿入して設けられる。すなわち、載置板３１をブラケット２２の支持部２４上に設ける場合には、図３（ａ）に示すように載置板３１の後端部を上記隙間３５に位置合わせし、この載置板３１を図３（ａ）に矢印Ａで示す方向へ回動させる。それによって、載置板３１の下面に形成された係合凹部３３の傾斜面３４に支持部２４に突設された係止部材２７が当接する。
【００２６】
その状態で、載置板３１をさらに矢印Ａ方向へ回動させると、上記傾斜面３４が係止部材２７の上端に沿ってスライドする。つまり、載置板３１が図３（ａ）に矢印Ｂで示す方向へスライドするから、この載置板３１の後端部は、図３（ｂ）に示すように上記隙間３５に入り込み、後端面がブラケット２２の直線部２３ａに当接し、かつ係止部材２７は係合凹部３３の末端に当接する。
【００２７】
上記隙間３５は上記載置板３１の厚さよりもわずかに小さいため、載置板３１の後端部はブラケット２２と横杆２１とによって弾性的に支持される。それによって、載置板３１は上記ブラケット２２にがた付くことなく保持される。
【００２８】
載置板３１をブラケット２２に固定したい場合には、図３（ｂ）に示すように、支持部２４に形成された通孔２８から上記載置板３１にねじ３６を捩じ込めばよい。
【００２９】
このように構成されたベッド１のヘッドボード体１５によれば、図１に示すようにブラケット２２を、その支持部２４がヘッドボード体１５の背面側に突出するよう横杆２１に支持し、上記支持部２４に載置板３１を設けることができる。
【００３０】
それによって、この載置板３１を、ベッド１を利用する患者が使用する小物類や患者が治療を受けるときに用いられる器具などの物品を載置する載置部として利用することができる。
【００３１】
上記ブラケット２２は、フック２３を横杆２１に着脱可能に係合させて設けられ、載置板３１は後端部を横杆２１と支持部２４とがなす隙間３５に挿入されるとともに係合凹部３３に係止部材２７を係合させて設けられる。
【００３２】
そのため、上記ブラケット２２と載置板３１とは、ヘッドボード体１５に対して着脱可能に設けることができ、しかもブラケット２２と載置板３１とのヘッドボード体１５に対する取付けや取外しは工具などを用いることなく、容易に行なうことができる。つまり、載置板３１は必要に応じて簡単かつ迅速にヘッドボード体１５に取付けたり、取外すことができる。そのため、不用時には邪魔にならないよう取外すことができ、非常に便利である。
【００３３】
なお、載置板３１をブラケット２２に固定する場合には、支持部２４に形成された通孔２８から載置板３１にねじ３６を捩じ込めばよく、載置板３１が固定された状態ではブラケット２２が横杆２１から外れることもない。
【００３４】
載置板３１をブラケット２２の支持部２４に設ける場合、載置板３１の後端部を横杆２１と支持部２４とがなす隙間３５に差し込んだ後、載置板３１を図３（ａ）に矢印Ａで示すように支持部２４に接合する方向へ回動させる。
【００３５】
すると、載置板３１の下面に形成された係合凹部３３の傾斜面３４が係止部材２７に当たり、載置板３１は係止部材２７に沿って矢印Ｂ方向にスライドするから、載置板３１の係合凹部３３に係止部材２７が係合し、かつ後端部が横杆２１と支持部２４とで保持される。
【００３６】
それによって、載置板３１の後端部が隙間３５に入り込むことで、ブラケット２２は横杆２１に対してがた付くことなく保持され、しかも載置板３１は後端部が隙間３５に入り込むこと及び係合凹部３３に係止部材２７が係合することで、ブラケット２２に対してがた付くことなく保持される。
【００３７】
そのため、載置板３１はヘッドボード体１５に安定した状態で確実に設けることができるから、物品の載置部として良好に利用することができる。
【００３８】
上記一実施の形態では、ヘッドボード体１５に載置板３１を設けるようにしたが、フットボード体１６にも載置板３１を設けるようにしてもよく、又はフットボード体１６だけに設けるようにしてもよい。
【００３９】
フットボード体１６に載置板３１を設ける場合、このフットボード体１６の背面側あるは前面側のいずれに設けるようにしても、載置板３１がベッド１の利用者の邪魔になることがない。
【００４０】
また、ベッドフレームは上下駆動機構によって上下方向の高さ調整が可能な構造となっているが、高さが固定されたベッドフレームであっても差し支えない。
【００４１】
【発明の効果】
以上のようにこの発明によれば、ボード体に小物類などの物品を載置する載置板を、ブラケットを介して着脱可能に、しかも載置板に形成された係合凹部をブラケットに設けられた係止部材に係合させて設けるようにした。
【００４２】
そのため、載置板をブラケットから不用意に外れることがないよう確実に設けることができる。
【図面の簡単な説明】
【図１】この発明の一実施の形態に係るベッドの正面図。
【図２】（ａ）はヘッドボード体の分解斜視図、（ｂ）は組立てた状態の斜視図。
【図３】（ａ）はブラケットに載置板を取付けるときの断面図、（ｂ）はブラケットに載置板を取付けた断面図。
【図４】（ａ）〜（ｃ）はブラケットの図。
【符号の説明】
１…ベッド
４…ベッドフレーム
１５…ヘッドボード体
１６…フットボード体
１７…ボード板
１８…支柱部材
２１…横杆
２２…ブラケット
２３…フック
２４…支持部
２６…当接部
２７…係止部材
３１…載置板
３３…係合凹部
３４…傾斜面
【図１】
0003942415.tif 000002
【図２】
0003942415.tif 000003
【図３】
0003942415.tif 000004
【図４】
0003942415.tif 000005